(57)【特許請求の範囲】
【請求項１】
第１表示部と、
上記第１表示部に隣接して配置されている第２表示部と、
上記第１表示部への操作を入力するための第１操作入力部と、
上記第２表示部への操作を入力するための第２操作入力部と、
上記第１表示部および上記第２表示部を制御して表示を行わせるものであり、上記第１表示部に処理候補画像を表示させる表示制御部と、
上記第２表示部に表示されている画像を処理対象画像として管理する画像管理部と、
を具備し、
選択された画像に上記第１表示部から上記第２表示部へ向かわせる操作がなされた場合には、
上記表示制御部は、上記選択された画像を上記第２表示部に表示させるように制御し、
上記画像管理部は、上記第２表示部に表示された画像を上記処理対象画像に加えるように制御し、
選択された画像に上記第２表示部から上記第１表示部へ向かわせる操作がなされた場合には、
上記表示制御部は、上記選択された画像を上記第１表示部に表示させるように制御し、
上記画像管理部は、上記第１表示部に移動された画像を上記処理対象画像から外すように制御することを特徴とする画像装置。
【請求項２】
上記表示制御部は、さらに、上記第２表示部に表示されている処理対象画像の処理を実行するための処理メニューを上記第１表示部に表示させるように制御するものであることを特徴とする請求項１に記載の画像装置。
【請求項３】
上記表示制御部は、選択された画像に上記第１表示部から上記第２表示部へ向かわせる操作がなされた場合には、選択された画像を該操作に応じて第１表示部から第２表示部へ連続的に移動するように表示させ、選択された画像に上記第２表示部から上記第１表示部へ向かわせる操作がなされた場合には、選択された画像を該操作に応じて第２表示部から第１表示部へ連続的に移動するように表示させる制御を行うものであることを特徴とする請求項１に記載の画像装置。
【請求項４】
上記表示制御部は、上記第１操作入力部により上記第１表示部から上記第２表示部へ向かう方向と交差する方向の操作がなされた場合には、異なる処理候補画像を該第１表示部に表示させるように制御するものであることを特徴とする請求項１に記載の画像装置。
【請求項５】
第１表示部と、
上記第１表示部に隣接するように配置される第２表示部と、
上記第１表示部への操作を入力するための第１操作入力部と、
上記第１表示部および上記第２表示部を制御して表示を行わせる表示制御部と、
当該画像装置の姿勢を検出するための姿勢検出部と、
を具備し、
上記表示制御部は、上記第１操作入力部により画像を選択して該画像を該第１表示部から上記第２表示部へ向かわせる操作がなされた場合には、選択された画像を該第２表示部に表示させるように制御し、さらに上記姿勢検出部により当該画像装置の姿勢が上記第１表示部が上記第２表示部よりも重力方向で上側となる姿勢であることが検出された場合にも、上記第１表示部に表示されている画像を、上記第２表示部に順次表示させるように制御するものであることを特徴とする画像装置。
【請求項６】
上記第２表示部は、当該画像装置の姿勢が標準的な姿勢であるときには、上記第１表示部よりも重力方向の上側となるように配置されたものであることを特徴とする請求項５に記載の画像装置。
【請求項７】
第１表示部と、上記第１表示部に隣接して配置されている第２表示部と、上記第１表示部への操作を入力するための第１操作入力部と、上記第２表示部への操作を入力するための第２操作入力部と、を備える画像装置における処理画像の選択方法であって、
上記第１表示部に処理候補画像を表示し、
上記第１操作入力部により画像を選択して該画像を該第１表示部から上記第２表示部へ向かわせる操作がなされた場合には、選択された画像を第２表示部に表示し、
上記第２表示部に新たに表示された画像を処理対象画像に加え、
上記第２操作入力部により画像を選択して該画像を該第２表示部から上記第１表示部へ向かわせる操作がなされた場合には、選択された画像を第１表示部に表示し、
上記第１表示部に移動された画像を上記処理対象画像から外すことを特徴とする処理画像の選択方法。
【発明の詳細な説明】
【技術分野】
【０００１】
本発明は、画像を処理対象画像として選択し得るようになされた画像装置と、このような画像装置における処理画像の選択方法とに関する。
【背景技術】
【０００２】
近年、ハードディスクの小型化および大容量化が進み、あるいは固体メモリの低価格化および大容量化が進んだために、比較的大容量の記録媒体を画像装置に対して安価に使用することが可能となってきている。このような記録媒体を用いる画像装置は、その容量に応じて、多くの枚数の画像を取り扱うことが可能になってきている。
【０００３】
ここに、画像装置とは、画像を取り扱う装置を広く指し、具体的には、デジタルカメラ、画像ビューワー、電子アルバム、プリンタなどが例として挙げられる。こうした画像装置は、単に画像を記憶してメインとなる機能を果たすだけではなく、さらに２次的な処理機能を備えているものも多い。２次的な処理機能とは、例えば、画像の消去、画像の転送、画像のプリント等の機能である。
【０００４】
このような処理機能を有する画像装置において、何れかの機能に係る処理を画像１つずつに対して行うと操作に手間も時間も掛かり過ぎるために、複数の画像についての処理をまとめて行うことができるようにしたものがある。このような一括処理を行う場合には、まず、記録されている多数の画像の中から処理対象画像群を選択することになる。この画像群の選択における良く知られた方法としては、画像をサムネイル表示（つまり、縮小画像を配列表示）し、画面上において例えばＸＹ操作キー（着目部分をＸ方向とＹ方向とに移動させるための操作キー、具体的には十字キーや矢印キーなど）とＯＫキー（確定キー）とを用いて処理する画像を１つ１つ選択する方法が挙げられる。
【０００５】
しかし、このような操作を用いても、多数の画像の中から所望の画像群を選択するのは根気の要る作業になるために、新たな方法も提案されている。
【０００６】
例えば、特開平９−２９７７５０号公報には、タッチパネルを備える表示部に複数の画像を表示させて、表示されている画像上でドラッグアンドドロップ操作が検出されると、それに応じて画像を移動させる技術が記載されている。
【０００７】
一方、操作性および表示機能の向上を目的として、複数の画面を備えるカメラが提案されている。例えば、特開２００５−３１８２５８号公報には、２つの画面を設けて、一方の画面に処理対象画像を表示させるとともに、他方の画面に画質調整用の画面を表示させて、画質調整画面を見ながら処理対象画像の調整を行うことができるようにした画像撮影装置が記載されている。
【０００８】
また、２画面表示部を有する装置の他の例としては、特開２００５−８６２８３号公報に、撮影時に、一方の画面にモニタ画像を表示させ、他方の画面に撮影操作の情報を表示させて、操作マニュアルを見ながら撮影をすることができる電子カメラが記載されている。
【特許文献１】特開平９−２９７７５０号公報
【特許文献２】特開２００５−３１８２５８号公報
【特許文献３】特開２００５−８６２８３号公報
【発明の開示】
【発明が解決しようとする課題】
【０００９】
上述したように、画像の処理機能を有する画像装置は、処理対象画像を選択する操作が容易であることが必要である。特に、大量の画像を記憶することができるような画像装置においては、一括処理のために画像を選択する操作が簡単であることが要求される。さらに、このような画像装置では、熟練者だけでなく初心者でも簡単に取り扱うことができるように、操作を直感的に行えることが望ましい。
【００１０】
上述したように、多数の画像の中から希望の画像を選択する手段は、従来から幾つか提案されているが、これら従来の手段よりもさらに直感的で分かり易い操作手段が望まれている。
【００１１】
本発明は上記事情に鑑みてなされたものであり、直感的に分かり易くかつ確実に選択操作を行うことができる画像装置、処理画像の選択方法を提供することを目的としている。
【課題を解決するための手段】
【００１２】
上記の目的を達成するために、第１の発明による画像装置は、第１表示部と、上記第１表示部に隣接して配置されている第２表示部と、上記第１表示部への操作を入力するための第１操作入力部と、上記第２表示部への操作を入力するための第２操作入力部と、上記第１表示部および上記第２表示部を制御して表示を行わせるものであり、上記第１表示部に処理候補画像を表示させる表示制御部と、上記第２表示部に表示されている画像を処理対象画像として管理する画像管理部と、を具備し、選択された画像に上記第１表示部から上記第２表示部へ向かわせる操作がなされた場合には、上記表示制御部は、上記選択された画像を上記第２表示部に表示させるように制御し、上記画像管理部は、上記第２表示部に表示された画像を上記処理対象画像に加えるように制御し、選択された画像に上記第２表示部から上記第１表示部へ向かわせる操作がなされた場合には、上記表示制御部は、上記選択された画像を上記第１表示部に表示させるように制御し、上記画像管理部は、上記第１表示部に移動された画像を上記処理対象画像から外すように制御するものである。
【００１３】
また、第２の発明による画像装置は、上記第１の発明による画像装置において、上記表示制御部が、さらに、上記第２表示部に表示されている処理対象画像の処理を実行するための処理メニューを上記第１表示部に表示させるように制御するものである。
【００１５】
第３の発明による画像装置は、上記第１の発明による画像装置において、上記表示制御部が、選択された画像に上記第１表示部から上記第２表示部へ向かわせる操作がなされた場合には、選択された画像を該操作に応じて第１表示部から第２表示部へ連続的に移動するように表示させ、選択された画像に上記第２表示部から上記第１表示部へ向かわせる操作がなされた場合には、選択された画像を該操作に応じて第２表示部から第１表示部へ連続的に移動するように表示させる制御を行うものである。
【００１６】
第４の発明による画像装置は、上記第１の発明による画像装置において、上記表示制御部が、上記第１操作入力部により上記第１表示部から上記第２表示部へ向かう方向と交差する方向の操作がなされた場合には、異なる処理候補画像を該第１表示部に表示させるように制御するものである。
【００１７】
第５の発明による画像装置は、第１表示部と、上記第１表示部に隣接するように配置される第２表示部と、上記第１表示部への操作を入力するための第１操作入力部と、上記第１表示部および上記第２表示部を制御して表示を行わせる表示制御部と、当該画像装置の姿勢を検出するための姿勢検出部と、を具備し、上記表示制御部は、上記第１操作入力部により画像を選択して該画像を該第１表示部から上記第２表示部へ向かわせる操作がなされた場合には、選択された画像を該第２表示部に表示させるように制御し、さらに上記姿勢検出部により当該画像装置の姿勢が上記第１表示部が上記第２表示部よりも重力方向で上側となる姿勢であることが検出された場合にも、上記第１表示部に表示されている画像を、上記第２表示部に順次表示させるように制御するものである。
【００１８】
第６の発明による画像装置は、上記第５の発明による画像装置において、上記第２表示部は、当該画像装置の姿勢が標準的な姿勢であるときには、上記第１表示部よりも重力方向の上側となるように配置されたものである。
【００１９】
第７の発明による処理画像の選択方法は、第１表示部と、上記第１表示部に隣接して配置されている第２表示部と、上記第１表示部への操作を入力するための第１操作入力部と、上記第２表示部への操作を入力するための第２操作入力部と、を備える画像装置における処理画像の選択方法であって、上記第１表示部に処理候補画像を表示し、上記第１操作入力部により画像を選択して該画像を該第１表示部から上記第２表示部へ向かわせる操作がなされた場合には、選択された画像を第２表示部に表示し、上記第２表示部に新たに表示された画像を処理対象画像に加え、上記第２操作入力部により画像を選択して該画像を該第２表示部から上記第１表示部へ向かわせる操作がなされた場合には、選択された画像を第１表示部に表示し、上記第１表示部に移動された画像を上記処理対象画像から外す方法である。
【発明の効果】
【００２１】
本発明の画像装置、処理画像の選択方法によれば、直感的に分かり易くかつ確実に選択操作を行うことが可能となる。
【発明を実施するための最良の形態】
【００２２】
以下、図面を参照して本発明の実施の形態を説明する。
【００２３】
［実施形態１］
図１から図１８は本発明の実施形態１を示したものであり、図１は画像装置の外観を示す（Ａ）背面図（Ｂ）右側面図（Ｃ）正面図（Ｄ）平面図、図２は画像装置の外観を示す斜視図である。
【００２４】
この画像装置１は、正面および背面をやや縦長の矩形をなす主面とし、比較的薄型の略直方体形状をなす筐体（つまり、いわゆるカード形状の筐体）を備えている。この画像装置１は、例えば、片手の掌で把持し得るサイズ形状に形成されており、標準的な把持状態における標準的な姿勢（標準姿勢）では、主面が縦長となるようないわゆる縦位置をとるようになっている。
【００２５】
この画像装置１の背面には、標準姿勢における重力方向の下側位置に矩形状の第１表示部１１が、この第１表示部１１の重力方向の上側位置に隣接して矩形状の第２表示部１２が、それぞれ配設されている。
【００２６】
また、画像装置１の上面には、この画像装置１の電源をオン／オフするための電源ボタン１５と、この画像装置１における各種の操作状態を保持するための（つまり、意図しないボタン操作等を防止するための）ホールドボタン１６と、が配設されている。
【００２７】
さらに、画像装置１の右側面（正面から見た右側の側面）には、標準姿勢における重力方向の上側位置にメニューボタン１７が、下側位置にモードボタン１８が、それぞれ配設されている。これらの内のメニューボタン１７は、後述するように、処理対象画像が選択された後に、これら処理対象画像にどのような処理を行うかを指定するための処理メニュー５１（図７参照）を表示するためのボタンである。また、モードボタン１８は、この画像装置１の動作モードを選択するためのボタンである。
【００２８】
次に、図３は画像装置１の主として電気的な構成を示すブロック図である。
【００２９】
この画像装置１は、表示ユニット２５と、ＣＰＵ２６と、表示制御部２７と、姿勢検出部２８と、操作部２９と、ＲＯＭ３０と、ＲＡＭ３１と、記録媒体３２と、画像処理部３３と、通信部３４と、を備えて構成されている。
【００３０】
さらに、表示ユニット２５は、上述した第１表示部１１および第２表示部１２と、第１操作入力部２１および第２操作入力部２２と、第１操作検出部２３および第２操作検出部２４と、を有して構成されている。
【００３１】
第１表示部１１および第２表示部１２は、例えばＬＣＤ等で構成される表示デバイスである。
【００３２】
第１操作入力部２１は、第１表示部１１への直接操作を入力するための入力デバイスであり、具体的には例えばタッチパネルとして構成されたものとなっている。
【００３３】
同様に、第２操作入力部２２は、第２表示部１２への直接操作を入力するための入力デバイスであり、例えばタッチパネルとして構成されたものである。
【００３４】
第１操作検出部２３は第１操作入力部２１からの出力に基づき第１表示部１１に対してどのような直接操作が行われたかを検出するためのもの、第２操作検出部２４は第２操作入力部２２からの出力に基づき第２表示部１２に対してどのような直接操作が行われたかを検出するためのものである。
【００３５】
表示制御部２７は、ＣＰＵ２６の指令に基づき、第１表示部１１および第２表示部１２を制御して表示を行わせるものである。この表示制御部２７は、後述するように、第１表示部１１に処理候補画像を表示させるようになっている。そして、第１操作入力部２１により画像を選択してその画像を第１表示部１１から第２表示部１２へ向かわせる操作がなされた場合には、表示制御部２７は、選択された画像を第２表示部１２に表示させる制御を行うようになっている。
【００３６】
姿勢検出部２８は、この画像装置１の姿勢を検出するためのものであり、例えば重力方向センサや加速度センサ等を備えて構成されている。そして、この姿勢検出部２８により、この画像装置１が上述したような標準姿勢となっているか、あるいは上下逆の姿勢となっているか、等を検出することができるようになっている。
【００３７】
操作部２９は、図１や図２に示したような電源ボタン１５、ホールドボタン１６、メニューボタン１７、モードボタン１８等を含むこの画像装置１に設けられた各種の操作釦等を含んでいる。
【００３８】
ＲＯＭ３０は、この画像装置１を制御するための処理プログラムや各種の制御値等を記憶する不揮発性の記録媒体である。このＲＯＭ３０には、後述する処理メニュー５１（図７参照）に表示するためのアイコンデータ等も格納されている。
【００３９】
ＲＡＭ３１は、ＣＰＵ２６の作業メモリとして用いられると共に、画像処理部３３により処理する画像データを記憶するための画像バッファとしても用いられる揮発性の記録媒体である。
【００４０】
記録媒体３２は、例えばフラッシュメモリや小型ハードディスク等で構成される、多数の画像を記憶し得る不揮発性の記録媒体である。
【００４１】
画像処理部３３は、記録媒体３２から読み出した画像を第１表示部１１や第２表示部１２で表示するに適した形式に変換する処理や、通信部３４を介してプリンタ等の外部機器へ送信するに適した形式に変換する処理や、その他各種の画像処理を行うためのものである。
【００４２】
通信部３４は、この画像装置１が上述したプリンタ等の外部機器と通信するためのものであり、無線ＬＡＮやブルートゥース（Bluetooth）などの無線通信手段、あるいはＵＳＢなどの有線通信手段、等を含んで構成されている。
【００４３】
ＣＰＵ２６は、ＲＯＭ３０に記憶されている処理プログラムや制御値に基づいて、この画像装置１を統括的に制御するための制御部である。このＣＰＵ２６は、画像管理部２６ａを有して構成されている。この画像管理部２６ａは、第２表示部１２に表示されている画像を処理対象画像として管理するものであり、表示制御部２７の制御により第２表示部１２に新たな画像が表示された場合にはその画像を処理対象画像に加え、第２表示部１２から第１表示部１１へ画像が移動された場合にはその画像を処理対象画像から外す制御を行うようになっている。
【００４４】
このＣＰＵ２６は、第１操作検出部２３、第２操作検出部２４、姿勢検出部２８、操作部２９、ＲＯＭ３０と接続されると共に、表示制御部２７、ＲＡＭ３１、記録媒体３２、画像処理部３３、通信部３４とバス等を介して双方向に接続されている。
【００４５】
次に、図４は、画像装置１により処理候補画像群から処理対象画像を選択するときの様子を示す図である。
【００４６】
図４（Ａ）に示すように、第１表示部１１には所定枚数の処理候補画像４１が、一部を重ね合わせながら例えば扇状に展開して表示されている。このときの処理候補画像４１の並び順は、所定の順序列、例えば画像が時間順にソートされている場合にはその順序、あるいは画像がファイル名順にソートされている場合にはその順序、に従うようになっている。そして、扇状に展開された処理候補画像４１の内の中央に位置する処理候補画像４１ａは、他の画像に覆い隠されることのない最前面に表示されていて、選択し易い状態となっている。
【００４７】
一方、第２表示部１２には、既に選択された処理対象画像４２が表示されている。
【００４８】
次に、使用者が画像装置１を把持する手の指（図示の例では親指）で処理候補画像４１ａに触れると、第１操作入力部２１および第１操作検出部２３によりそれが検出される。そして、触れられている処理候補画像４１ａは、図４（Ｂ）に示すように、選択されている状態の選択画像４３となる。
【００４９】
その後、選択画像４３に触れた状態を維持しながら、使用者が指を第２表示部１２へ向けて移動させると、図４（Ｃ）に示すように、表示されている選択画像４３も指の移動に合わせて第２表示部１２へ向けて連続的に移動する。
【００５０】
使用者が第２表示部１２まで至るように指を移動させると、選択画像４３も第１表示部１１と第２表示部１２とにまたがって表示される状態を経て、図４（Ｄ）に示すように、第２表示部１２にのみ表示される状態に至る。すると、画像管理部２６ａが、選択画像４３を処理対象画像４２として登録する。このときには、新たな処理対象画像４２は、既に第２表示部１２に表示されている処理対象画像４２と完全に重なり合うことがないように、ランダムに少しだけずらした状態で重ねて表示される。
【００５１】
なお、ここでは、指が第１表示部１１から第２表示部１２まで連続的に移動される場合を説明したが、処理対象画像を登録しようとする際に可能な操作法は、これに限るものではない。
【００５２】
例えば、第１表示部１１において、使用者が選択画像４３に触れながら指を第２表示部１２の方へ向けて素早く移動させたとする。このときに、ＣＰＵ２６は、第１操作検出部２３を介して検出した移動速度や加速度等に基づいて、使用者が選択画像４３を処理対象画像４２として登録しようとしているか否かを判定する。そして、登録しようとしていると判定された場合には、指が第２表示部１２に至らなくても、画像管理部２６ａは、選択画像４３を処理対象画像４２として登録する。
【００５３】
また、使用者がこのような素早い指の動きで処理対象画像４２を選択しようとしたときには、第１表示部１１から第２表示部１２へ移動して表示される選択画像４３は、第２表示部１２内で、該第２表示部１２の枠に当たって１回もしくは数回跳ね返り、移動速度が次第に遅くなって、最終的に図４（Ｄ）に示したような位置に停止するようにアニメーション表示をすると良い。
【００５４】
このように、第１表示部１１において処理候補画像４１は所定の順序列に従って並べて、第２表示部１１において処理対象画像４２は選択順にランダムに、それぞれ表示され、つまり表示態様を異ならせているために、何れが処理候補画像４１であり何れが処理対象画像４２であるかを視覚的に容易に確認することができるようになっている。
【００５５】
次に、図５は、画像装置１により処理候補画像群を切り換えるときの様子を示す図である。
【００５６】
図５（Ａ）に示すような状態において、使用者が指で第１表示部１１の処理候補画像４１ａに触れ、図５（Ｂ）に示すように右へ移動させたとする。すると、第１操作入力部２１および第１操作検出部２３を介してその操作が検出される。これに応じてＣＰＵ２６は、記録媒体３２から上記所定の順序列に従った次の画像を読み込み、処理候補画像４１として第１表示部１１の左端に加える。そして、それまで表示されていた処理候補画像４１は１枚ずつ右へ移動し、それまで最も右に表示されていた処理候補画像４１は第１表示部１１から消える。これにより、図５（Ｃ）に示すように、最前面の処理候補画像４１ａも、所定の順序列に従った次の画像に切り換わる。このようにして、処理候補画像群を１コマ分進ませることができる。
【００５７】
同様に、使用者が指で第１表示部１１の処理候補画像４１ａに触れて左へ移動させたとすると、処理候補画像群を所定の順序列に従って１コマ分戻すことができる。
【００５８】
このように、処理対象画像を選択するときの指の移動方向と、処理候補画像群を切り換えるときの指の移動方向とは、互いに交差する方向となっている。
【００５９】
次に、図６は、画像装置１により画像を処理対象から解除するときの様子を示す図である。
【００６０】
画像を処理対象から解除しようとするときには、まず、図６（Ａ）に示すように、第２表示部１２に表示されている解除しようとする処理対象画像４２に指などで触れて、選択画像４３とする。このときに、解除しようとする処理対象画像４２が他の処理対象画像４２の下側にある場合には、他の処理対象画像４２を移動させて、解除しようとする処理対象画像４２を指で操作可能な状態にすれば良い。
【００６１】
次に、図６（Ｂ）に示すように、指を第１表示部１１へ向けて移動させる。このときには、上述同様に、選択画像４３が指の移動と共に第１表示部１１へ向けて連続的に移動し、第１表示部１１と第２表示部１２とにまたがって表示される状態を経て、図６（Ｃ）に示すように、第１表示部１１にのみ表示される状態に至る。これにより、画像管理部２６ａが、選択画像４３を処理対象の登録から外す。
【００６２】
続いて、図７は、画像装置１に処理メニューを表示させている様子を示す図である。
【００６３】
上述したように、画像装置１の側面に設けられているメニューボタン１７を押圧操作すると、処理対象画像４２群にどのような処理をまとめて行うかを指定するための処理メニュー５１が表示されるようになっている。この処理メニュー５１は、第１表示部１１に表示されるようになっており、第２表示部１２に表示されている処理対象画像４２群を見ながら、処理メニュー５１内の何れの処理を行うかを選択することができるようになっている。
【００６４】
この図７に示す例においては、処理メニュー５１として、消去ボタン５２、プリントボタン５３、お気に入り登録ボタン５４、中止ボタン５５が、指などで押圧操作可能にアイコン表示されている。
【００６５】
ここに、消去ボタン５２が押圧操作されることにより、選択されている処理対象画像４２群が記録媒体３２からまとめて消去されるようになっている。
【００６６】
また、プリントボタン５３が押圧操作されることにより、選択されている処理対象画像４２群が通信部３４から外部機器であるプリンタへ順次送信されて、画像がまとめてプリントされるようになっている。
【００６７】
さらに、お気に入り登録ボタン５４が押圧操作されることにより、選択されている処理対象画像４２群が画像管理部２６ａによってお気に入りの画像として登録されるようになっている。ここに、お気に入りは、画像に「お気に入り属性」を付けることによって行っても良いし、あるいは記録媒体３２内に「お気に入りフォルダ」を作成してその中に画像を移動させることにより行っても良いし、さらにあるいは「お気に入りリスト」に画像を登録することにより行っても構わない。
【００６８】
そして、中止ボタン５５が押圧操作されることにより、処理メニュー５１が表示されていない元の状態に戻るようになっている。なお、元の状態に戻るのは、中止ボタン５５を操作することにより行っても良いが、メニューボタン１７を再度押圧して行っても構わない。
【００６９】
次に、図８は、画像装置１のメインルーチンを示すフローチャートである。
【００７０】
この処理を開始すると、まず、電源ボタン１５がオンされているか否かを判定する（ステップＳ１）。
【００７１】
ここで、電源ボタン１５がオンされていると判定された場合には、次に、モードボタン１８の操作により、画像を処理するためのモードに設定されているか否かを判定する（ステップＳ２）。
【００７２】
そして、画像を処理するためのモードに設定されていないと判定された場合には、通常画面表示を行う（ステップＳ３）。ここに、通常画面表示とは、この画像装置１が例えば画像ビューワとして機能するような通常モードにおける画面の表示のことである。この通常画面表示は、ステップＳ２において、画像を処理するためのモードに設定されていると判定されるまで行われる。
【００７３】
一方、ステップＳ２において、画像を処理するためのモードに設定されていると判定された場合には、例えば図４（Ａ）（ただし、初期状態では処理対象画像４２がまだ選択されていないために、図４（Ａ）に示すような処理対象画像４２は表示されていない。）に示すような処理用画面を表示する（ステップＳ４）。
【００７４】
その後、第１操作入力部２１または第２操作入力部２２に触れる操作がなされたか否かを判定する（ステップＳ５）。
【００７５】
ここで、触れる操作がなされていない場合には、ステップＳ１へ戻って、上述したような処理を繰り返して行う。
【００７６】
また、ステップＳ５において、第１操作入力部２１または第２操作入力部２２に触れる操作がなされたと判定された場合には、後で図９を参照して説明するようなタッチ操作処理を実行する（ステップＳ６）。
【００７７】
その後、後で図１０を参照して説明するような各処理を実行して（ステップＳ７）、上記ステップＳ１へ戻る。
【００７８】
こうして、ステップＳ１において、電源ボタン１５がオフになっていると判定された場合には、この処理を終了する。
【００７９】
次に、図９は、図８のステップＳ６におけるタッチ操作処理を示すフローチャートである。
【００８０】
この処理を開始すると、第１表示部１１への操作が行われたか否かを判定する（ステップＳ１１）。
【００８１】
ここで、第１表示部１１への操作が行われたと判定された場合には、図４（Ｂ）に示したように、タッチされた処理候補画像４１を選択画像４３とする（ステップＳ１２）。
【００８２】
そして、タッチされている選択画像４３が右方向へ操作されたか否かを判定し（ステップＳ１３）、右方向へ操作されたと判定された場合には、図５（Ｂ）、図５（Ｃ）に示したように、１コマ進む表示を行う（ステップＳ１４）。
【００８３】
また、ステップＳ１３において、タッチされている選択画像４３が右方向へ操作されていないと判定された場合には、次に、左方向へ操作されたか否かを判定する（ステップＳ１５）。ここで、左方向へ操作されたと判定された場合には、１コマ戻す表示を行う（ステップＳ１６）。
【００８４】
一方、ステップＳ１５において、タッチされている選択画像４３が左方向へ操作されていないと判定された場合には、次に、上方向へ操作されたか否かを判定する（ステップＳ１７）。ここで、上方向へ操作されたと判定された場合には、図４（Ｃ）に示すように、選択画像４３を上へ移動する表示を行う（ステップＳ１８）。
【００８５】
そして、第２表示部１２への操作が行われたか否かを判定する（ステップＳ１９）。ここで、第２表示部１２への操作が行われたと判定されるまでは、ステップＳ１７へ戻って上述したような処理を繰り返して行う。
【００８６】
こうしてステップＳ１９において、第２表示部１２への操作が行われたと判定された場合には、選択画像４３を第２表示部１２へ表示すると共に（ステップＳ２０）、図４（Ｄ）に示すように、選択画像４３を処理対象画像４２として登録する（ステップＳ２１）。
【００８７】
また、ステップＳ１１において、第１表示部１１への操作が行われていないと判定された場合には、次に、第２表示部１２への操作が行われたか否かを判定する（ステップＳ２３）。
【００８８】
ここで、第２表示部１２への操作が行われていないと判定された場合には、ステップＳ１１へ戻って、何れかの表示部への操作が行われるのを待機する。
【００８９】
一方、ステップＳ２３において、第２表示部１２への操作が行われたと判定された場合には、図６（Ａ）に示すように、タッチされた処理対象画像４２を選択画像４３としてから、図６（Ｂ）に示すように、選択画像４３を下へ移動する表示を行う（ステップＳ２４）。
【００９０】
続いて、第１表示部１１への操作が行われたか否かを判定する（ステップＳ２５）。ここで、第１表示部１１への操作が行われたと判定されるまでは、ステップＳ２３へ戻って上述したような処理を繰り返して行う。
【００９１】
こうしてステップＳ２５において、第１表示部１１への操作が行われたと判定された場合には、図６（Ｃ）に示すように、選択画像４３を第１表示部１１へ表示すると共に（ステップＳ２６）、選択画像４３を処理対象画像４２の登録から外す（ステップＳ２７）。
【００９２】
上述したステップＳ１７において上方向へ操作されていないと判定された場合、ステップＳ１４、Ｓ１６、Ｓ２１、またはＳ２７の何れかの処理が終了した場合には、メニューボタン１７が操作されたか否かを判定する（ステップＳ２２）。
【００９３】
ここで、メニューボタン１７への操作が行われていないと判定された場合には、ステップＳ１１へ戻って、上述したような処理を繰り返して行う。
【００９４】
また、メニューボタン１７の操作が行われたと判定された場合には、このタッチ操作処理を抜けて、図８に示したようなメインルーチンへ復帰する。
【００９５】
続いて、図１０は、図８のステップＳ７における各処理実行の処理を示すフローチャートである。
【００９６】
この処理を開始すると、まず、図７に示したように、処理メニュー５１を第２表示部１２に表示する（ステップＳ３１）。
【００９７】
そして、中止ボタン５５またはメニューボタン１７の押圧により、中止操作がなされたか否かを判定する（ステップＳ３２）。
【００９８】
ここで、中止操作が行われたと判定された場合には、図９のステップＳ１１へ移行して、上述したようなタッチ操作処理に戻る。
【００９９】
一方、中止操作がなされていないと判定された場合には、消去ボタン５２、プリントボタン５３、お気に入り登録ボタン５４の何れかが押圧され、処理を選択する操作がなされたか否かを判定する（ステップＳ３３）。
【０１００】
ここで、処理がまだ選択操作されていないと判定された場合には、ステップＳ３１へ戻って上述したような処理メニュー画面の表示を継続して行う。
【０１０１】
また、ステップＳ３３において、処理を選択する操作が行われたと判定された場合には、その選択に応じた処理を実行してから（ステップＳ３４）、この各処理実行を抜けて、図８に示したようなメインルーチンに復帰する。
【０１０２】
続いて、図１１は、複数の処理候補画像４１をまとめて処理対象画像４２として選択する様子を示す図である。
【０１０３】
図１１（Ａ）は、標準姿勢で画像装置１を把持している様子を示している。この状態では、上述したように、第１表示部１１が重力方向の下側、第２表示部１２が重力方向の上側となっている。
【０１０４】
この図１１（Ａ）に示す状態から、画像装置１を上下反対にする。すると、姿勢検出部２８により画像装置１が上下逆姿勢であることが検出される。これに応じてＣＰＵ２６は、重力方向の上側となった第１表示部１１に表示されている処理候補画像４１を、最前面の処理候補画像４１ａから上述した所定の順序列に従って順に、重力方向の下側に位置する第２表示部１２へ移動する表示を行わせるように表示制御部２７を制御する。
【０１０５】
これにより、図１１（Ｂ）に示すように、処理候補画像４１が順次、第２表示部１２に移動して表示され、処理対象画像４２に追加登録される。
【０１０６】
こうして、所望の処理候補画像４１までを処理対象画像４２に登録したら、画像装置１を元の標準姿勢に戻すことにより、連続的な画像の登録を終了することができる。
【０１０７】
このように、複数の画像を所定の順序列に従ってまとめて登録することができるために、多くの画像を一括登録する操作を容易に行うことが可能となる。このとき、登録しようとする画像が、あたかも重力により落ちるような表示を行うようにしたために、操作の直感的な理解が容易であり、熟練者および初心者の両方に分かり易い操作性となる。
【０１０８】
なお、画像装置１は、意図することなく上下位置が逆になる可能性もある。このような場合に、意図しない登録が行われるのを防ぐために、図１２または図１３に示すような操作を伴うようにすると良い。図１２は連続的登録における誤操作を防ぐための操作の一例を示す図、図１３は連続的登録における誤操作を防ぐための操作の他の例を示す図である。
【０１０９】
まず、図１２は、画像装置１が上下逆姿勢になっていて、かつ、例えば筐体を軽くたたく操作がなされたときに、上述したような一連の画像の登録を行うようにするものである。このときには、姿勢検出部２８の例えば加速度センサ等により、軽くたたく操作が行われことを検出することができる。
【０１１０】
また、図１３は、画像装置１が上下逆姿勢になっていて、かつ、例えば画像装置１を軽く振る操作がなされたときに、上述したような一連の画像の登録を行うようにするものである。このときにも、姿勢検出部２８の例えば加速度センサ等により、軽く振る操作が行われことを検出することができる。
【０１１１】
なお、これら図１２、図１３に示した例に限らず、その他の手段を用いても良い。例えば、画像装置１が上下逆姿勢になっていて、かつ、例えばホールドボタン１６が押圧された状態になっているときに、上述したような一連の画像の登録を行うようにすることが考えられる。
【０１１２】
続いて、図１４は、画像装置１の標準姿勢を横位置としたときの画像選択操作の様子を示す図である。
【０１１３】
この図１４に示す例においては、第１表示部１１が右側に、第２表示部１２が左側に、それぞれ位置するように配設されている。そして、第１表示部１１には、例えば右側を中心とした扇状に処理候補画像４１が配列して表示され、第２表示部には処理対象画像４２が上述同様にランダムに少しずらした状態で重ねて表示される。なお、このときには、画像装置１が横位置であるのに合わせて、各画像は、画像装置１の長辺側が上下、短辺側が左右となるような向きに表示されるのはもちろんである。
【０１１４】
そして、標準姿勢を、図４等に示したような縦位置とこの図１４に示したような横位置との何れにするかは、図示しないメニュー等の操作により所望に選択することができるようにすると良い。
【０１１５】
また、図１５は、画像装置１に表示部を３つ設けた例を示す図である。
【０１１６】
この画像装置１では、処理候補画像４１を表示するための第１表示部１１が中央に配置され、その上側に第２表示部１２が、また下側に第３表示部１３が、それぞれ配置されている。
【０１１７】
この図１５に示す例では、第１表示部１１に表示される処理候補画像４１群は、扇状ではなく左右方向の直線状に重ね合わせて配列されている。そして、第２表示部１２は第１のグループの処理対象画像４２群を、第３表示部１３は第２のグループの処理対象画像４２’群を、それぞれ表示する。
【０１１８】
画像を選別する際に、例えば、ある画像はプリントしたいが、別の画像は削除したいなど、画像によって行いたい処理が異なることがある。このような場合に、この３つの表示部の構成を採用すると、一連の選択操作の中でプリントしたい画像と削除したい画像とを容易に選別することができる。これに対して、もし２つの表示部の構成であった場合には、まず、上述したような操作を行ってプリントしたい画像を選択し、その後に再度、上述したような操作を行って残りの処理対象画像群から削除したい画像を選択する、等が必要になり、操作がやや面倒となる。従って、この図１５に示すような構成は、このようなケースにおいて大変に操作性が高くなる。
【０１１９】
なお、ここでは３つの表示部を設けた例を示しているが、もちろん３つに限るものではなく、４つ以上の表示部を設けるようにしても構わない。このときには、各表示部を一列に配列するに限るものではなく、例えば、処理候補画像を表示する第１表示部１１の周囲に画像を登録するための各標示部を配列するようにしても構わないし、それ以外にも、操作性の高い任意の配列を広く採用することができる。
【０１２０】
次に、図１６は、３つの表示部を設けた画像装置１の標準姿勢を横位置としたときの画像選択操作の様子を示す図である。
【０１２１】
この図１６に示す例においては、処理候補画像４１を表示するための第１表示部１１が中央に、第２表示部１２がその左側に、第３表示部１３が第１表示部１１の右側に、それぞれ配置されている。そして、第１表示部１１に表示される処理候補画像４１群は、上下方向の直線状に重ね合わせて配列されている。
【０１２２】
このような横位置を採用しても、２つのグループへの登録を操作性良く行うことができる。
【０１２３】
なお、上述と同様に、標準姿勢を、図１５に示したような縦位置とこの図１６に示したような横位置との何れにするかは、図示しないメニュー等の操作により所望に選択することができるようにすると良い。
【０１２４】
次に、図１７は、画像装置１をカメラ１Ａに適用した構成例を示すブロック図である。
【０１２５】
このカメラ１Ａは、図３に示した画像装置１に、レンズ３５と、撮像素子３６と、撮像部３７と、を追加したものとなっている。
【０１２６】
ここに、レンズ３５は、被写体の光学像を撮像素子３６の撮像面に結像するための光学系である。
【０１２７】
また、撮像素子３６は、レンズ３５により結像された光学的な被写体像を電気的な撮像信号に変換して出力するものである。
【０１２８】
さらに、撮像部３７は、撮像素子３６を駆動するとともに、撮像素子３６から出力される撮像信号にアナログ的な信号処理等を施した後にデジタル信号に変換するものである。
【０１２９】
そして、撮像部３７から出力される画像データは、ＲＡＭ３１に一旦格納され、画像処理部３３により画像処理が行われた後に、圧縮処理等が施されて、記録媒体３２に記録されるようになっている。
【０１３０】
続いて、図１８は、表示ユニットの他の構成例を示すブロック図である。
【０１３１】
図３や図１７に示した表示ユニット２５は、第１表示部１１と第２表示部１２とが独立して設けられていて、同様に、第１操作入力部２１と第２操作入力部２２、第１操作検出部２３と第２操作検出部２４、がそれぞれ独立して設けられていた。
【０１３２】
これに対して、この図１８に示す表示ユニット２５Ａは、縦長の表示部６１の中央に境界線を表示させて１つの表示部６１を第１表示領域６１ａと第２表示領域６１ｂとに分けて使用することにより、上述した第１表示部１１と第２表示部１２として各機能させるようにしたものとなっている。
【０１３３】
また、表示部６１が１つであることに対応して、操作入力部６３も表示部６１の全表示面をカバーするものが１つだけ設けられている。
【０１３４】
そして、表示部６１は表示制御部６２により制御され、操作入力部６３への操作入力は操作検出部６４により検出されるようになっている。これら表示制御部６２と操作検出部６４とは、ＣＰＵ２６へそれぞれ接続されている。
【０１３５】
この図１８に示すような構成によっても、上述と同様の作用および効果を奏することができると共に、構成をより簡単にすることが可能となる。
【０１３６】
さらに、この図１８に示すような構成によれば、表示領域の数や大きさを、制御によって所望のものに切り換えることが可能となる。例えば、図４等に示したのと同様の２つの表示領域と、図１５に示したのと同様の３つの表示領域と、を所望に切り換えることが可能となる。従って、使用者の使用形態に、より柔軟に対応することが可能となる。
【０１３７】
なお、上述では、表示部への操作を指により行う例について説明しているが、ペンなどを用いて操作するようにしてももちろん構わない。
【０１３８】
また、上述では、画像装置の具体的な例として、カメラ（デジタルカメラ）を例に挙げているが、これに限らず、カメラ機能を備えた携帯電話や、携帯型ゲーム機などに適用することももちろん可能である。
【０１３９】
さらに、上述では、画像装置として、片手の掌で把持できる程度のモバイル機器を想定しているが、これに限るものでもない。例えば、メモリカード等を挿入して、該メモリカード内の画像から所望の画像を選択してプリントする機能を備えたプリンタに適用することも可能である。あるいは、カメラ店の店頭などに設置されているプリントシステム等に適応することも可能である。この場合には、大型の画面に対して操作を行うことになるために、手先等を用いて画像の選択を行うようにしても良い。
【０１４０】
そして、上述では、処理全体の一部をＣＰＵ２６によりソフトウェア的に処理し、処理全体の他の一部をハードウェア的に処理する例について説明したが、もちろんこれに限るものではなく、処理の全部をソフトウェア処理またはハードウェア処理により行うようにしても構わない。
【０１４１】
加えて、上述したような制御処理は、上述したような機能を実現するためのソフトウェアである処理プログラムをＣＰＵが実行し、各部を動作させることにより実現されている。従って、このような処理プログラム自体が上記実施形態の上述したような機能を実現していることになるために、この処理プログラム自体が本発明を構成している。
【０１４２】
このような実施形態１によれば、２画面表示を用いて処理候補画像と処理対象画像とを対比して表示するようにしたために、直感的に理解し易い操作性を実現することができる。
【０１４３】
そして、２画面で対比しながら操作することができるために、多数の画像をまとめて処理するような場合に、画像を選択する操作や画像に対する処理を選択する操作を簡単かつ誤りなく行うことができる。
【０１４４】
さらに、一旦処理対象画像に登録されても、処理対象から再び外すことができるようにしたために、良好な操作性を実現することができる。
【０１４５】
加えて、画像を選択しようとする際に、画像の移動を連続的に表示するようにしたために、画像の移動が行われていることをより直感的に容易に理解することが可能となる。
【０１４６】
そして、画像を選択しようとする操作方向と異なる方向の操作により、処理候補画像群の切り換えを行うことができるようにしたために、直感的に容易な操作で、処理候補画像を次々に表示することができる。
【０１４７】
さらに、画像装置を上下逆姿勢にしたときに、処理候補画像が自動的に処理対象画像として連続的に登録されるようにしたために、多くの画像を簡単な操作で一括して登録することが可能となる。
【０１４８】
なお、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【産業上の利用可能性】
【０１４９】
本発明は、画像を処理対象画像として選択し得るようになされた画像装置と、このような画像装置における処理画像の選択方法、プログラム、および記録媒体とに好適に利用することができる。
【図面の簡単な説明】
【０１５０】
【図１】本発明の実施形態１における画像装置の外観を示す（Ａ）背面図（Ｂ）右側面図（Ｃ）正面図（Ｄ）平面図。
【図２】上記実施形態１における画像装置の外観を示す斜視図。
【図３】上記実施形態１における画像装置の主として電気的な構成を示すブロック図。
【図４】上記実施形態１における画像装置により処理候補画像群から処理対象画像を選択するときの様子を示す図。
【図５】上記実施形態１における画像装置により処理候補画像群を切り換えるときの様子を示す図。
【図６】上記実施形態１における画像装置により画像を処理対象から解除するときの様子を示す図。
【図７】上記実施形態１における画像装置に処理メニューを表示させている様子を示す図。
【図８】上記実施形態１における画像装置のメインルーチンを示すフローチャート。
【図９】図８のステップＳ６におけるタッチ操作処理を示すフローチャート。
【図１０】図８のステップＳ７における各処理実行の処理を示すフローチャート。
【図１１】上記実施形態１において、複数の処理候補画像をまとめて処理対象画像として選択する様子を示す図。
【図１２】上記実施形態１において、連続的登録における誤操作を防ぐための操作の一例を示す図。
【図１３】上記実施形態１において、連続的登録における誤操作を防ぐための操作の他の例を示す図。
【図１４】上記実施形態１において、画像装置の標準姿勢を横位置としたときの画像選択操作の様子を示す図。
【図１５】上記実施形態１において、画像装置に表示部を３つ設けた例を示す図。
【図１６】上記実施形態１において、３つの表示部を設けた画像装置の標準姿勢を横位置としたときの画像選択操作の様子を示す図。
【図１７】上記実施形態１における画像装置をカメラに適用した構成例を示すブロック図。
【図１８】上記実施形態１における表示ユニットの他の構成例を示すブロック図。
【符号の説明】
【０１５１】
１…画像装置
１Ａ…カメラ
１１…第１表示部
１２…第２表示部
１３…第３表示部
１５…電源ボタン
１６…ホールドボタン
１７…メニューボタン
１８…モードボタン
２１…第１操作入力部
２２…第２操作入力部
２３…第１操作検出部
２４…第２操作検出部
２５，２５Ａ…表示ユニット
２６…ＣＰＵ
２６ａ…画像管理部
２７…表示制御部
２８…姿勢検出部
２９…操作部
３０…ＲＯＭ
３１…ＲＡＭ
３２…記録媒体
３３…画像処理部
３４…通信部
３５…レンズ
３６…撮像素子
３７…撮像部
４１…処理候補画像
４１ａ…最前面の処理候補画像
４２…処理対象画像
４３…選択画像
５１…処理メニュー
５２…消去ボタン
５３…プリントボタン
５４…登録ボタン
５５…中止ボタン
６１…表示部
６１ａ…第１表示領域（第１表示部）
６１ｂ…第２表示領域（第２表示部）
６２…表示制御部
６３…操作入力部
６４…操作検出部
【図１】
0004648217.tif 000002
【図２】
0004648217.tif 000003
【図３】
0004648217.tif 000004
【図４】
0004648217.tif 000005
【図５】
0004648217.tif 000006
【図６】
0004648217.tif 000007
【図７】
0004648217.tif 000008
【図８】
0004648217.tif 000009
【図９】
0004648217.tif 000010
【図１０】
0004648217.tif 000011
【図１１】
0004648217.tif 000012
【図１２】
0004648217.tif 000013
【図１３】
0004648217.tif 000014
【図１４】
0004648217.tif 000015
【図１５】
0004648217.tif 000016
【図１６】
0004648217.tif 000017
【図１７】
0004648217.tif 000018
【図１８】
0004648217.tif 000019